(57)【要約】【課題】ダウエルピンを取付け板に対して、石膏を用いて固定する必要がないようにした歯科補綴物作成装置を提供する。【解決手段】歯型ブロック４０をその上面に取付ける取付け板１１を合成樹脂によって成形するとともに、その下面にダウエルピン２６を一体に突設して成形しておき、このような取付け板１１を上下に開放された受け台１０と組合わせ、取付け板１１と受け台１０との間に石膏を流し込んでダウエルピン２６と整合するダウエルピン穴３５を備える石膏製の作業台１３を成形する。【選択図】図１
2014184010.tif 000002
【特許請求の範囲】
【請求項１】
上面と下面とがともに開放され、内部に石膏を充填するようになっている合成樹脂製の受け台と、
上面に歯型ブロックが固着されるとともに、下面にダウエルピンが突出し、前記ダウエルピンを前記受け台内に挿入するように受け台と組合わされる合成樹脂製の取付け板と、
前記取付け板と組合わされた前記受け台内に石膏を充填固化して形成され、前記ダウエルピンと整合するダウエルピン穴を備える作業台と、
を有する歯科補綴物作成装置。
【請求項２】
前記受け台と前記取付け板との接合部においてその外周部を囲むように合成樹脂製の枠体が取付けられる請求項１に記載の歯科補綴物作成装置。
【請求項３】
前記受け台に当接ピンが設けられ、該当接ピンが前記取付け板の前記ダウエルピンが突設される表面に当接するようになっている請求項１または２に記載の歯科補綴物作成装置。
【請求項４】
前記ダウエルピンが偏平な断面形状を有する請求項１〜３の何れかに記載の歯科補綴物作成装置。
【請求項５】
前記取付け板の円弧形状の外周側方向の前記ダウエルピンの幅が前記取付け板の円弧形状の内周側方向の前記ダウエルピンの幅よりも大きい請求項４に記載の歯科補綴物作成装置。
【請求項６】
前記取付け板の円弧形状の外周側方向の前記ダウエルピンの側の勾配が前記取付け板の円弧形状の内周側方向の前記ダウエルピンの側面の勾配より大きい請求項４に記載の歯科補綴物作成装置。
【発明の詳細な説明】
【技術分野】
【０００１】
本発明は歯科補綴物作成装置に係り、とくに歯型ブロックを取付けた取付け板をダウエルピンによって位置決めしながら補綴物の作成を行なうための歯科補綴物作成装置に関する。
【背景技術】
【０００２】
例えば特開平１０−２０１７７４号公報には、互いに隣合う複数本のダウエルピンが下面から突出した基板の上面に歯形ブロックを固着し、この歯形ブロックの所定部分を基板とともに切り出した中間成形体から、歯科補綴物作成用の作業模型を作成し、基板とともに歯形ブロックを切り出して得られる中間成形体は、少なくとも１本のダウエルピンが付帯しており、ドリルによる穴開け作業やダウエルピンの植設作業を行なうことなく、作業模型作成に要する手間が軽減され、歯科補綴物作成における作業性が向上するようにした作業模型が提案されている。
【０００３】
このような構成によると、ダウエルピンが基板に固着されているために、歯科ブロックの下面にドリルで穴を開けてダウエルピンを挿入し、接着剤で固定する作業が必要でなくなる。ところがこのような作業模型においても、歯科ブロックを切出して得られる中間成形体の下面には、さらに石膏を塗付し、ダウエルピンの周囲を石膏で固めた後に適宜な成形を施す必要があり、作業性が必ずしも改善されない。
【０００４】
従来の別の構成は、金属製のダウエルピンを受入れるピン穴を形成した合成樹脂製の受け台と、ダウエルピンを植設した石膏の成形体から成る取付け板とを組合わせた構成であって、取付け板の上に石膏を介して歯科ブロックを固定するようにした方式が従来より利用されている。
【０００５】
上記のような構成は、ダウエルピンを保持している石膏の強度が弱く、割れ易い欠点がある。基板が割れるとピンが外れ、使えなくなってしまう。なお強度が弱い石膏でダウエルピンを保持する理由は、ダウエルピンを植込んだ取付け板を成形する際に、石膏が硬化する時に膨張するためにダウエルピンを受け台のピン穴で固定し、流し込んだ石膏が膨張しても石膏が逃げて硬化するようにするためである。
【先行技術文献】
【特許文献】
【０００６】
【特許文献１】特開平１０−２０１７７４号公報
【発明の概要】
【発明が解決しようとする課題】
【０００７】
本願発明の課題は、ダウエルピンを固定保持する石膏の基板をなくすようにした歯科補綴物作成装置を提供することである。
【０００８】
本願発明の別の課題は、ダウエルピンが取付け板と一体に合成樹脂によって成形された歯科補綴物作成装置を提供することである。
【０００９】
本願発明のさらに別の課題は、ダウエルピンを備える取付け板と組合わされ、ダウエルピンを介して位置決めされる作業台を、ダウエルピンを備える取付け板と組合わされる受け台内において成形するようにした歯科補綴物作成装置を提供することである。
【００１０】
本願発明の上記の課題および別の課題は、以下に述べる本願発明の技術的思想、およびその実施の形態によって明らかにされる。
【課題を解決するための手段】
【００１１】
本願の主要な発明は、
上面と下面とがともに開放され、内部に石膏を充填するようになっている合成樹脂製の受け台と、
上面に歯型ブロックが固着されるとともに、下面にダウエルピンが突出し、前記ダウエルピンを前記受け台内に挿入するように受け台と組合わされる合成樹脂製の取付け板と、
前記取付け板と組合わされた前記受け台内に石膏を充填固化して形成され、前記ダウエルピンと整合するダウエルピン穴を備える作業台と、
を有する歯科補綴物作成装置に関するものである。
【００１２】
ここで、前記受け台と前記取付け板との接合部においてその外周部を囲むように合成樹脂製の枠体が取付けられてよい。また前記受け台に当接ピンが設けられ、該当接ピンが前記取付け板の前記ダウエルピンが突設される表面に当接するようになっていてよい。また前記ダウエルピンが偏平な断面形状を有してよい。また前記取付け板の円弧形状の外周側方向の前記ダウエルピンの幅が前記取付け板の円弧形状の内周側方向の前記ダウエルピンの幅よりも大きくてよい。また前記取付け板の円弧形状の外周側方向の前記ダウエルピンの側面の勾配が前記取付け板の円弧形状の内周側方向の前記ダウエルピンの側面の勾配より大きくてよい。
【発明の効果】
【００１３】
本願の主要な発明は、上面と下面とがともに開放され、内部に石膏を充填するようになっている合成樹脂製の受け台と、上面に歯型ブロックが固着されるとともに、下面にダウエルピンが突出し、前記ダウエルピンを前記受け台内に挿入するように前記受け台と組合わされる合成樹脂製の取付け板と、前記取付け板と組合わされた前記受け台内に石膏を充填固化して形成され、前記ダウエルピンと整合するピン穴を備える作業台と、を有するものである。
【００１４】
従ってこのような歯科補綴物作成装置によると、合成樹脂製の取付け板の下面にダウエルピンが一体に突設されることになり、このためにダウエルピンを別部材から構成して取付け板に石膏等によって固定する必要がなくなる。
【図面の簡単な説明】
【００１５】
【図１】本発明の一実施の形態の歯科補綴物作成装置の分解斜視図である。
【図２】受け台の平面図である。
【図３】受け台の正面図である。
【図４】受け台の底面図である。
【図５】取付け板の平面図である。
【図６】取付け板の正面図である。
【図７】取付け板の底面図である。
【図８】枠体の平面図である。
【図９】枠体の正面図である。
【図１０】枠体の底面図である。
【図１１】作業台の平面図である。
【図１２】作業台の正面図である。
【図１３】作業台の底面図である。
【図１４】歯科ブロックを取付けた取付け板の要部正面図である。
【図１５】同取付け板の要部平面図である。
【図１６】同取付け板の要部底面図である。
【図１７】切出された取付け板と作業台との結合を示す要部縦断面図である。
【発明を実施するための形態】
【００１６】
以下本願発明を図示の実施の形態によって説明する。図１は本実施の形態に係る歯科補綴物作成装置の全体の構成を分解して示したものである。図１から明らかなように、この補綴物作成装置は、合成樹脂、例えばＡＢＳ樹脂から成る受け台１０と、同じくＡＢＳ樹脂等の合成樹脂から成る取付け板１１と、同じくＡＢＳ樹脂等の合成樹脂から成る枠体１２とを備えている。そして上記受け台１０内において石膏を流込んで得られる石膏製の作業台１３が組合わされる。
【００１７】
次に受け台１０について説明する。受け台１０は、図２〜図４に示すように、上下に貫通する貫通穴１６を備えており、この貫通穴１６によって受け台１０の上部と下部とが開放されている。そして貫通穴１６の内側には、適宜リブ１７が貫通穴１６を横切るように配されている。また上記貫通穴１６内には当接ピン１８が一体に連設されている。なお当接ピン１８はリブ１７に設けられているものと、貫通穴１６の内周壁に設けられているものがある。またこの受け台１０の上端側の外側部には段部１９が形成されている。また受け台１０の上記貫通穴１６が設けられている部分よりも内周側は、底板２０によって閉塞されている。
【００１８】
次に歯型ブロックをその上に取付ける取付け板１１について図５〜図７により説明する。取付け板１１はＡＢＳ樹脂成形体であって、その上面が取付け面２４になっており、平坦面を構成している。そして上記取付け面２４の外周側の部分に条溝２５が周囲に沿って延びて形成される。また取付け板１１の下面にはダウエルピン２６が下方に突設されている。なおダウエルピン２６は、断面が円形ではなく偏平な形状を成しており（図１６、図１７参照）、取付け板２４に一体に成形されている。
【００１９】
次に枠体１２の構成について説明する。枠体１２は図８〜図１０に示すように、ＡＢＳ樹脂の成形体であって、上記受け台１０の外周囲の形状とほぼ整合するような枠体から構成されており、内側の部分が開口３０になっている。またこの開口３０を有する枠体１２の外周部には外方に突出する複数の突部３１が形成される。
【００２０】
次に上記受け台１０によって成形される作業台１３について図１１〜図１３によって説明する。作業台１３は、受け台１０の上に取付け板１１を組合わせ、受け台１０の底部開口から石膏を流し込んで成形されるものであって、上記ダウエルピン２６と整合されるダウエルピン穴３５と、上記受け台１０の当接ピン１８によって成形される円形の小孔３６を備えている。また上記受け台１０のリブ１７に対応する条溝３７が形成されている。
【００２１】
次に歯冠等の補綴物を作成する方法の概略を説明する。歯科医から歯の部位を反転印象した型に石膏を流し込み、患者と同様の歯模型を作成する。この歯模型の作成は、上顎と下顎の両方についてそれぞれ行なう。そして出来上がった歯模型を咬合器に取付けて上下の噛合わせを確認しながら修復する部位修正を行なう。歯模型を咬合器に取付ける際に修復する部位のみを取出せる構造にしておかなければならない。そのために位置出しを行なうのがダウエルピン２６である。そして出来上がった歯模型（歯型ブロック４０）を取付け板１１上に固定し、接着剤で固着した後に、修復部位の両サイドを切断線に沿って鋸で切取る。切取る部位と他の部位とに分かれるが、作業台１３のダウエルピン穴３５に取付け板１１のダウエルピン２６を合わせて挿入すると、切断線に沿って切取る前と同様の形状に復元できる。なお噛合わされる相手の歯模型は、位置を確認しながら取付けるようにする。
【００２２】
次にこのような歯科補綴物作成装置の使用方法を説明する。図１４に示すように、患者から採取した反転歯型に石膏を流し込むことによって、歯型ブロック４０を成形する。なおこの歯型ブロック４０の例えば中間には欠損歯の歯型４１が形成される。そしてこの歯型ブロック４０を取付け板１１の取付け面２４に接着剤によって固定する。この後に切断線４２の部分で、欠損歯の歯型４１の両側を切断する。なおこのときに、２本あるいは３本以上の歯を一緒に一体として切出すこともある。このように取付け板１１の取付け面２４に結合された状態で欠損歯の歯型４１の歯型ブロック４０を作成したならば、このピースを上記作業台１３のダウエルピン穴３５を利用して位置決めする。すなわち取付け板１１の下面のダウエルピン２６を作業台１３のダウエルピン穴３５内に挿入して嵌合させることによって位置決めして歯冠等の補綴物を作成する。
【００２３】
このように本実施の形態の歯科補綴物作成装置は、プラスチック製の受け台１０と、ダウエルピン２６が１４箇所一体になっている取付け板１１と、プラスチック製の枠体１２とから構成されている。受け台１０と取付け板１１とを組合わせ、さらに側部を枠体１２で塞ぎ、受け台１０と取付け板１１との間に充填される石膏を裏面から流し込み、石膏が硬化した状態で作業台１３を形成するようにしている。
【００２４】
ここで従来の取付け板１１のダウエルピン２６は、従来丸形状が基本であったのを、ここでは断面が偏平であって、取付け板１１の円弧形状の外周方向のダウエルピン２６の側面の勾配が、取付け板１１の円弧形状の内周方向のダウエルピン２６の側面よりも大きな値とし、図１７においてダウエルピン２６の左側の方が垂直に近く、右側の方が傾斜を大きくして斜めにしている。例えばダウエルピン２６の内周方向であって左側側面の鉛直線に対する角度を３度とし、外周方向であって右側側面の鉛直線に対する角度を５度としている。これによって取付け板１１の外側方向に抜け易くなっている。これは取付け板１１が図５、図７に示すようにＵ字形状であって、その円弧形状の外周側方向に抜くことで抜き易くするためである。
【００２５】
また受け台１０には取付け板１１のダウエルピン２６が突設される平面と当接する当接ピン１８が形成されており、この当接ピン１８を取付け板１１の下面に突当てることによって、取付け板１１と受け台１０との間の平行度が規定されるようになっている。
【００２６】
また取付け板１１のダウエルピン２６の断面形状は、上述の如く偏平であって、しかも図１６に示すように、取付け板１１の円弧形状の外周側方向のダウエルピン２６の幅が、取付け板１１の円弧形状の内周方向のダウエルピン２６の幅よりも大きく設定されている。これは切断線４２に沿ってダウエルピン２６間で取付け板１１を切断して切出すときの切断刃物が入り易くなるように隣接するダウエルピン２６間の部分の両側の壁面が互いに平行な形状にするためである。
【００２７】
またダウエルピン２６の横断面形状が偏平であると、取付け板１１の切断位置や切断形状に係わらず、欠損歯の歯型４１を保持した取付け板１１の位置を作業台１３上において安定に位置決めできる。これは、丸型ピンをダウエルピンとして用いる従来の取付け板に対する優位性となる。ダウエルピンが丸型ピンの場合には、切断形状によって丸型ピンが１本になると、作業台上において回転して位置決めができない。このような不具合が、本願の偏平なダウエルピン２６を用いた取付け板１１では解消される。
【００２８】
本実施の形態の歯科補綴物作成装置の特徴は、とくに取付け板１１を合成樹脂によって一体成形するとともに、ダウエルピン２６をその下面に一体に連設しているために、ダウエルピン２６を石膏等で固定する必要がなくなったことである。これによって強度の弱い石膏でダウエルピン２６を固定する必要がなく、ダウエルピン２６の取付け部が破損することがなくなっている。また従来は、歯型ブロック４０の下面に石膏を流し込んだ後加工して平面を出しているが、本願発明の場合には、歯型ブロック４０が合成樹脂製の取付け板１１に接着等によって固定されるために、石膏の接合面を平坦加工する必要がなくなる利点がある。
【００２９】
以上本願発明を図示の一実施の形態によって説明したが、本願発明は上記実施の形態によって限定されることなく、本願発明の技術的思想の範囲内において各種の変更が可能である。例えば上記実施の形態においては、受け台１０、取付け板１１、作業台１３が何れもほぼＵ字型に成形されており、全部の歯を備える歯型ブロック４０を取付けるようにしているが、部分的な歯型ブロックを取付けるための分割された形状としてもよい。また取付け板１１の下面にも受けられるダウエルピン２６についても、必ずしも１４本である必要がなく、適宜増減させることが可能である。
【産業上の利用可能性】
【００３０】
本願発明は、歯冠修復等の補綴物を作成する際に使用する歯科補綴物作成装置として利用することが可能である。
【符号の説明】
【００３１】
１０  受け台
１１  取付け板
１２  枠体
１３  作業台
１６  貫通孔
１７  リブ
１８  当接ピン
１９  段部
２０  底面
２４  取付け面
２５  条溝
２６  ダウエルピン
３０  開口
３１  突部
３５  ダウエルピン穴
３６  円形の小孔
３７  条溝
４０  歯型ブロック
４１  欠損歯
４２  切断線
【図１】
2014184010.tif 000003
【図２】
2014184010.tif 000004
【図３】
2014184010.tif 000005
【図４】
2014184010.tif 000006
【図５】
2014184010.tif 000007
【図６】
2014184010.tif 000008
【図７】
2014184010.tif 000009
【図８】
2014184010.tif 000010
【図９】
2014184010.tif 000011
【図１０】
2014184010.tif 000012
【図１１】
2014184010.tif 000013
【図１２】
2014184010.tif 000014
【図１３】
2014184010.tif 000015
【図１４】
2014184010.tif 000016
【図１５】
2014184010.tif 000017
【図１６】
2014184010.tif 000018
【図１７】
2014184010.tif 000019